(57)【特許請求の範囲】
【請求項１】
互いに平行に配置されている受けロールと絞りロールと、該絞りロールを前記受けロール方向へ変位可能に支持する可動アームとを有し、前記受けロールと前記絞りロールとの間に布帛を通過させて該布帛の搾液を行うパッダーの加圧調整装置であって、
上記可動アームに軸支されたトラベリングナットに、ボールを介して噛合されるスクリューシャフトを有するボールスクリュージャッキと、前記受けロールと前記絞りロールとの間を通過した前記布帛の全幅方向へ往復動して、該布帛の含液率を測定する含液率測定センサとを備え、前記含液率測定センサの出力に基づいて前記ボールスクリュージャッキを動作さることにより前記絞りロールを変位させることを特徴とするパッダーの加圧調整装置。
【発明の詳細な説明】
【０００１】
【発明の属する技術分野】
本発明は、連続的に移送される長尺布帛の全面に所定の処理液を含浸付与せしめるために用いられるパッダーに設備されている一対のパディングロールの加圧力調整装置であって、特に上記一対のパティングロールによる布帛への加圧力が布帛の幅方向に均一となるように調整することができるパッダーの加圧力調整装置に関するものである。
【０００２】
【従来の技術】
例えば繊維業界において、工業的に生産する長尺布帛の前処理、染色処理等を行なうとき、長尺である被処理布帛にそれら適宜の処理液を含浸せしめる必要がある。被処理布帛に処理液を含浸せしめる一般的な付与手段としては、例えばその被処理布帛を、処理液を収容した浴中（パッダー）に浸漬した後、加圧ロール（パディングロール）により余分な液を絞り取って含液量を調整する連続付与手段が採用されているが、かかる処理液の連続付与手段では、加圧ロールによる搾液時に搾液むらが生じがちであって、特に１８００ｍ／ｍもある幅広の被処理布帛にあっては、その幅方向において不均一付与となりがちであって処理むらのない良質の処理布帛を得ることが困難とされていた。
【０００３】
すなわち、従来のパッダー（含液量調整手段）として用いられている（パッダーロール、加圧ロール）機構は、図３及び図４に示す如き構造のものである。以下、この従来例について述べると、１は水平支軸２によって軸支されている左右一対の可動アームであって、この双方の可動アーム１の上端には軸受け３が設けられており、この双方の軸受け３の相互間に絞りロール４が回転可能に架設保持されている。また可動アーム１の下端と固定枠５との間には、エアダイヤフラム６による絞りロール作動体が設けられている。７は前記絞りロール４と平行に配置されている受けロールであって、この受けロール７と絞りロール４とが協働して生じさせる接圧力により、その受けロール７と絞りロール４とに挟まれて移送される布帛に含浸されている余分な薬液が搾液されて所望の含液量に調整移送されるものである。
【０００４】
そしてこのような構成のパッダーにより、布帛の含液量を調整するには、絞りロール４と受けロール７との間を通過した布帛の含液量を、パッダーの上部に固定設備されている水分測定器８により測定し、その測定値に応じてエアダイヤフラム６内へ供給するエア圧力を調整して、絞りロール４と受けロール７による接圧力を調整し、この接圧力により移送される布帛の含液量が一定かつ均一となるように自動調整されることが期待されている。
【０００５】
【発明が解決しようとする課題】
ところが、このような従来構造のパッダーにあっては、含液された布帛を、互いに並設される絞りロール４と受けロール７との間を通過させて、それらロールによる接圧力で、布帛に付与されている液を適当量搾液して所定の含液率として次処理工程へ移送させるものであるが、並設される絞りロール４及び受けロール７との間では、それら両ロールの両側支持端を圧接移動させる構造となっているために、それらロールの両端部と、中央部とでの接圧力の誤差が生じたり、また上記の各ロールの全長が長くなることで生じるロールの撓み等により、双方ロールの全長に亘る接圧力を均一に保たせることが困難であり、これが原因で長尺布の全面、特に布帛幅方向の含液率が一定となるように調整することが困難であった。
【０００６】
そこで、上記の従来例にあっては、絞りロール４と受けロール７を通過した布帛の含液量（水分率）を水分測定器８により測定し、その測定値を基にして、エアダイヤフラムへのエア供給量を制御して搾液された布帛の含液率が幅方向に一定となるように絞りロール４と受けロール７との接圧力を制御しているが、一般的には布帛幅が長いために、その水分測定器８を布帛の幅方向に沿って複数個を配置使用しなければならない。
【０００７】
このように複数個の水分測定器８を用いる場合には、各水分測定器８の特性の相違により測定誤差を生じ、これが原因で布帛の幅方向の含液率を精度よく一定に保たせることができなかった。
【０００８】
また絞りロール４を動作させるための駆動力として圧力エアを用いている場合には、そのエアチャンバーの影響あるいは、エア供給源から、エアダイヤフラムまでの間のエアホースの長さ、さらにはエアダイヤフラムと絞りロール４間での動力伝達機構における動作摩擦力等により、エア圧力の変動が発生するために、常に一定のエア圧力で絞りロール４と受けロール７間のニップ幅を制御することが不可能であって、布帛全面の液含率を均一かつ安定させることができなかった。
【０００９】
本発明は、かかる欠点に着目してなされたもので、パッダーロールの駆動源としてボールスクリュージャッキを用いて、動力伝達機構におけるバックラッシュを解消し、これによりパッダーロールの動作応答性を高めると共に、ニップ幅の制御精度を高めることを第１の目的としている。
【００１０】
また本発明では、布帛に付与されている含液率を測定するためのセンサの使用を一組となし、さらにこの一組のセンサを布帛の幅方向へスキャニングさせることで布帛幅方向の含液率を精度よく、しかも経済的に測定することを第２の目的としている。
【００１１】
【課題を解決するための手段】
上記目的を達成するために請求項１では、互いに平行に配置されている受けロールと絞りロールと、該絞りロールを受けロール方向へ変位可能に支持する可動アームとを有し、受けロールと絞りロールとの間に布帛を通過させて該布帛の搾液を行うパッダーの加圧調整装置であって、上記可動アームに軸支されたトラベリングナットにボールを介して噛合されるスクリューシャフトを有するボールスクリュージャッキと、受けロールと絞りロールとの間を通過した布帛の全幅方向へ往復動して、該布帛の含液率を測定する含液率測定センサとを備え、含液率測定センサの出力に基づいてボールスクリュージャッキを動作させることにより絞りロールを変位させることを特徴としている。
【００１３】
【発明の実施の形態】
以下に本発明を図１及び図２に示す実施形態に基いて詳細に説明する。
【００１４】
１１は基枠１２に固定されている軸受け１３により回転可能に支持されている受けロールであって、この受けロール１１に対して平行となるように絞りロール１４が配置されている。この絞りロール１４の両端は、左右一対の可動アーム１５の上端に設けられている軸受１６により回転可能に軸支されているが、これらの可動アーム１５の下端には、ボールスクリュージャッキ１７に対応するトラベリングナット１８が軸支されている。また上記可動アーム１５の軸方向中間部は支軸１９を介して基枠１２に回動可能に軸支されている。
【００１５】
ボールスクリュージャッキ１７の構造は公知であるが、例えば図２に示すように、モータ１７−２の駆動力で、ケーシング１７−３内に内装されている不図示のウオーム及びウオームホイールを介してスクリューシャフト１７−１が軸方向に移動される構造となっており、そのスクリューシャフト１７−１に上記のトラベルリングナット１８がボール（図示せず）を介して噛合されている。
【００１６】
２０は、受けロール１１及び絞りロール１４により搾液された布帛２１の含液率を測定するためのセンサであって、このセンサ２０は布帛２１を挟んで対となっており、さらにこのセンサ２０は、布帛２１の幅方向に配置されているねじ杆２２により支持されていて、該ねじ杆２２を正逆回転させることにより、センサ２０は布帛２１の幅方向へ往復動させることができる。
【００１７】
上記センサ２０は、公知である適宜の水分率測定器を選択使用することができ、そしてこのセンサ２０から得られた測定出力を基にして、上記ボールスクリュージャッキ１７のモータ１７−２を駆動制御することができる。２３は処理液含浸槽を示す。
【００１８】
以上が本実施形態であるが、次にその作用について述べると、処理液含浸槽２３により処理液が含液された布帛２１は、受ロール１１と絞りロール１４の間を通過することにより、それら受けロール１１と絞りロール１４による押圧力を受けて所望の搾液がなされて次の処理工程へ移送されるものである。そしてその布帛２１の含液率を調整するために、ボールスクリュージャッキ１７を動作し、そのスクリューシャフト１７−１を正方向又は逆方向へ回転させることにより、トラベリングナット１８を介して可動アーム１５が支軸１９を支点として回動し、これにより、絞りロール１４と受けロール１１との接圧力が変化されて布帛の含液率を変えることができる。
【００１９】
ところが、布帛２１の幅が長い布帛２１の液処理を行なう場合には、当然のことながら受けロール１１及び絞りロール１４が長尺のものとなり、そのために受けロール１１及び絞りロール１４が撓みやすく、これが原因で、布帛幅方向の接圧力が不均一となって含液率を均一かつ一定とすることが困難である。そこで、本実施形態では、受けロール１１、絞りロール１４で搾液された布帛２１の幅方向の含液率をセンサ２０により測定し、その測定値を基にしてその含液率が均一となるようにボールスクリュージャッキ１７を動作させるものである。また布帛幅方向の含液率を一組のセンサ２０で測定するために、そのセンサ２０を支持しているねじ杆２２を正方向又は逆方向へ回転させてセンサ２０を布帛２１の幅方向へ移動させる。
【００２０】
このように本実施形態にあっては、受けロール１１に絞りロール１４を接近又は離間せしめるための動力として電動力を利用するボールスクリュージャッキ１７を使用すると共に、そのボールスクリュージャッキ１７のスクリューシャフト１７−１に噛合されるトラベリングナット１８を、可動アーム１５に直接軸支せしめたものであるから、ボールスクリュージャッキ１７と可動アーム１５間での動力伝達部において、バックラッシュ等による伝達ロスを生じることがなく、従って絞りロール１４を精度よく、かつ確実に動作させることができ、布帛２１に対して精度の高い含液率に調整することができる。
【００２１】
また複数のセンサを配置使用する従来のセンサにあっては、各センサのバラツキによる誤差の発生又はそれら誤差を補正して測定精度が高められると共に、構成も簡素化するための補正回路等を設けなければならないかが、本発明では布帛の幅方向含液率を測定するセンサ２０を一組となし、そのセンサを布帛の幅方向にスキャニングさせる構成としたために、測定精度が高められると共に、構成も簡素化され経済性が高められる。
【００２２】
【発明の効果】
以上のように本発明のパッダー加圧調整装置によれば、受けロール１１と絞りロール１４とからなるパッダロールによる布帛への接圧力の調整を精度よく行なうことができ、これにより布帛の全面に亘って均一な含液率となるように調整させることが、容易かつ確実である。また布帛の幅方向の含液率を測定するためのセンサの使用数を一組としていることから経済性は勿論のこと、測定精度も向上されるという作用効果を奏する。
【図面の簡単な説明】
【図１】本発明よりなるパッダーの実施形態を示した側面説明図。
【図２】本発明よりなるパッダーに使用されるボールスクリュージャッキの斜視図。
【図３】従来のパッダーの側面説明図。
【図４】従来のパッダーの正面説明図。
【符号の説明】
１１…受けロール
１２…基枠
１３…軸受
１４…絞りロール
１５…可動アーム
１６…軸受
１７…ボールスクリュージャッキ
１８…トラベリングナット
１９…支軸
２０…センサ
２１…布帛
２２…ねじ杆
２３…処理液含浸槽
【図１】
0004313444.tif 000002
【図２】
0004313444.tif 000003
【図３】
0004313444.tif 000004
【図４】
0004313444.tif 000005